(57)【特許請求の範囲】
【請求項１】
レインウェアの本体と一体となった、又は、レインウェアの本体に着脱自在に取り付けられてこの本体と一体となるフードの構造であって、
フード主体の前面開放部を囲うようにして前方に突き出すと共に、庇部と左右の側部とを一体に備えたツバ部分と、
可撓性を有する板状材から構成されると共に、板一面を前記ツバ部分の内面又は外面に添着させてこのツバ部分と一体をなす保形部材とを備えており、
この保形部材は、前記ツバ部分の庇部を保形する上部と、前記ツバ部分の右側の側部を保形する右側の下部と、前記ツバ部分の左側の側部を保形する左側の下部とを一体に備えると共に、前記上部と右側の下部とをつなぐ部分及び前記上部と左側の下部とをつなぐ部分において板前縁と板後縁との間の幅を狭くしてこのつなぐ部分において保形部材を弾性変形し易くしていることを特徴とするレインウェアのフードの構造。
【請求項２】
保形部材の板前縁がツバ部分の突き出し縁に位置するようになっていることを特徴とする請求項１に記載のレインウェアのフードの構造。
【請求項３】
レインウェアの本体と一体となった、又は、レインウェアの本体に着脱自在に取り付けられてこの本体と一体となるフードにおける、フード主体の前面開放部を囲うようにして前方に突き出すと共に庇部と左右の側部とを一体に備えたツバ部分に、板一面を前記ツバ部分の内面又は外面に添着させてこのツバ部分と一体をなす可撓性を有する板状材から構成される保形部材であって、
この保形部材は、前記ツバ部分の庇部を保形する上部と、前記ツバ部分の右側の側部を保形する右側の下部と、前記ツバ部分の左側の側部を保形する左側の下部とを一体に備えると共に、前記上部と右側の下部とをつなぐ部分及び前記上部と左側の下部とをつなぐ部分において板前縁と板後縁との間の幅を狭くしてこのつなぐ部分において保形部材を弾性変形し易くしていることを特徴とするレインウェアのフードの保形部材。
【発明の詳細な説明】
【技術分野】
【０００１】
この発明は、レインウェアの本体と一体となったフード、又は、レインウェアの本体に着脱自在に取り付けられてこの本体と一体となるフードの構造、及び、このフードのツバ部分に取り付けられて、このツバ部分を保形する保形部材に関する。
【背景技術】
【０００２】
レインウェアのフードには、その前面開放部からさらに前方に突き出すツバの備えられたものがある。かかるツバは典型的には、庇部と左右の側部とを一体に備えており、透明な合成樹脂製の生地から構成される場合が多い。フードにこのようなツバを設けると、レインウェアを着てフードを被った者の顔が風雨にさらされ難くなる。
【０００３】
しかるに、かかるツバは前記フードの前面開放部からさらに前方に突き出すものであるため、風圧により変形し易い。特に、前記のようなレインウェアを着て自転車や二輪自動車を運転するときには、前記ツバの変形は煩わしく、また、運転者の視界の妨げともなる。
【０００４】
また、かかるツバは、ドーム状をなすフードの前面開放部の湾曲に倣って湾曲されるため、その庇部は上方に浮き上がりやすく、風雨を適切に防ぎがたい場合も少なくない。
【０００５】
従来より、フードを備えた衣服のこのフードの縁部を、必要に応じた形状に繰り返し塑性変形可能な金属製のワイヤーによって保形するようにしたものがあり、このようなワイヤーによって前記ツバの縁部を保形することも可能であるが、こうしたワイヤーはその形が明確には定まらないためレインウェアを着るたびにその形の調整を余儀なくされることが多く、また、衣料の検針の障害となる。
【発明の概要】
【発明が解決しようとする課題】
【０００６】
この発明が解決しようとする主たる問題点は、レインウェアのフードのツバ部分を容易且つ適切に保形できるようにする点にある。
【課題を解決するための手段】
【０００７】
前記課題を達成するために、この発明にあっては、第一の観点から、レインウェアのフードの構造を、
レインウェアの本体と一体となった、又は、レインウェアの本体に着脱自在に取り付けられてこの本体と一体となるフードの構造であって、
フード主体の前面開放部を囲うようにして前方に突き出すと共に、庇部と左右の側部とを一体に備えたツバ部分と、
可撓性を有する板状材から構成されると共に、板一面を前記ツバ部分の内面又は外面に添着させてこのツバ部分と一体をなす保形部材とを備えており、
この保形部材は、前記ツバ部分の庇部を保形する上部と、前記ツバ部分の右側の側部を保形する右側の下部と、前記ツバ部分の左側の側部を保形する左側の下部とを一体に備えると共に、前記上部と右側の下部とをつなぐ部分及び前記上部と左側の下部とをつなぐ部分において弾性変形し易くなっているものとした。
【０００８】
また、前記課題を達成するために、この発明にあっては、第二の観点から、レインウェアのフードの保形部材を、レインウェアの本体と一体となった、又は、レインウェアの本体に着脱自在に取り付けられてこの本体と一体となるフードにおける、フード主体の前面開放部を囲うようにして前方に突き出すと共に、庇部と左右の側部とを一体に備えたツバ部分に、板一面を前記ツバ部分の内面又は外面に添着させてこのツバ部分と一体をなす可撓性を有する板状材から構成される保形部材であって、
この保形部材は、前記ツバ部分の庇部を保形する上部と、前記ツバ部分の右側の側部を保形する右側の下部と、前記ツバ部分の左側の側部を保形する左側の下部とを一体に備えると共に、前記上部と右側の下部とをつなぐ部分及び前記上部と左側の下部とをつなぐ部分において弾性変形し易くなっているものとした。
【０００９】
レインウェアを着た者がフードを被ると、保形部材は前記つなぐ部分で大きく弾性変形する一方で、上部と下部はそれほどには弾性変形をしないようにすることができる。したがって、保形部材の上部によりツバ部分の庇部は湾曲が大きくならないように保形される。すなわち、保形部材によって庇部の中央は浮き上がり難く、これにより、フード内への風雨の侵入が効果的に防止される。また、保形部材の下部は前記上部を支えてツバ部分の庇部が過度に下がることを防ぐと共に、前記上部と協働してツバ部分の庇部の突き出し縁と側部の突き出し縁とがなす角度が風雨を受けても略一定の角度をなすようにこのツバ部分を保形する。これにより、風雨によりツバ部分が変形してレインウェアを着た者の視界を妨げる事態を効果的に防止することができる。
【００１０】
前記保形部材の板前縁がツバ部分の突き出し縁に位置するようにしておけば、ツバ部分の突き出し縁側を保形部材により弛みなく広げさせることができる。また、前記保形部材の板前縁と板後縁との間の幅をつなぐ部分において狭くしてこのつなぐ部分において保形部材を弾性変形し易くしておくこともある。このようにしておけば、前記上部及び下部では保形部材を弾性変形し難くする一方で、前記つなぐ部分において保形部材を弾性変形し易くすることができる。
【発明の効果】
【００１１】
この発明によれば、レインウェアのフードのツバ部分を容易且つ適切に保形することができる。
【図面の簡単な説明】
【００１２】
【図１】図１は実施の形態にかかる保形部材を備えたフードを被った状態の斜視構成図である。
【図２】図２は実施の形態にかかる保形部材を備えたフードを被った状態の正面構成図である。
【図３】図３は実施の形態にかかる保形部材を備えたフードを被った状態の側面構成図である。
【図４】図４は実施の形態にかかる保形部材を備えたフードを被った状態の平面構成図である。
【図５】図５は実施の形態にかかる保形部材の平面図（ａ図）並びにＡ−Ａ断面図（ｂ図）及びＡ’−Ａ’断面図（ｃ図）である。
【発明を実施するための形態】
【００１３】
以下、図１〜図５に基づいて、この発明の典型的な実施の形態について、説明する。この実施の形態にかかるフードＦの構造は、レインウェアＷの本体Ｊ（上衣）と一体となったフードＦ、又は、レインウェアＷの本体Ｊに着脱自在に取り付けられてこの本体Ｊと一体となるフードＦに適用されるものである。また、この実施の形態にかかる保形部材３は、レインウェアＷのフードＦのツバ部分２に取り付けられて、このツバ部分２を保形するものである。かかるレインウェアＷとしては、典型的には、レインスーツ、レインコート、ヤッケ、ポンチョなどが予定される。かかるレインウェアＷの本体Ｊに対して前記フードＦを着脱自在に備えさせる場合には、レインウェアＷの本体ＪとフードＦとは、典型的にはホックやボタンやファスナーなどの公知の係止部材によって、留め合わされる。図示の例では、レインウェアＷの本体ＪとフードＦとは、図中符号１０で示されるホックにより留め合わされるようになっている。
【００１４】
フードＦは、フード主体１と、ツバ部分２と、保形部材３とを備えている。
【００１５】
フード主体１は、レインウェアＷを着た者の頭部における顔を除いた箇所を覆うように成形された生地から構成されている。すなわち、フード主体１は、顔を外部に臨ませるための前面開放部１１と、レインウェアＷの本体Ｊの襟部に前記ホック１０によって接続される下部開放部１２とを備えている。図示の例では、フード主体１は、その下部の左右にそれぞれ、前方に延び出す合わせ部１３を備えており、レインウェアＷを着た者の口の前で面状ファスナー１４により左右の合わせ部１３を留め合わすことで前記前面開放部１１を絞れるようになっている。
【００１６】
ツバ部分２は、フード主体１の前面開放部１１を囲うようにして前方に突き出すと共に、庇部２０と左右の側部２１、２１とを一体に備えてなる。すなわち、ツバ部分２は、レインウェアＷを着た者の顔よりも前方に突き出して、かかる顔が上方からの風雨、左側からの風雨、及び右側からの風雨にさらされないようにしている。図示の例では、かかるツバ部分２は、透明な合成樹脂製の帯状をなすシート状の生地２２から構成されている。かかる生地２２の長さ方向に沿った一縁部２２ａをフード主体１の前記合わせ部１３以外の箇所における開放縁１１ａに縫着すると共に、かかる生地２２の左側の端部２２ｂを左側の合わせ部１３の上縁１３ａに縫着し、かつ、かかる生地２２の右側の端部２２ｂを右側の合わせ部１３の上縁１３ａに縫着することで、フード主体１にツバ部分２が一体に備えられている。
【００１７】
保形部材３は、可撓性を有する板状材３０から構成されると共に、板一面を前記ツバ部分２の内面又は外面に添着させてこのツバ部分２と一体をなしている。図示の例では、かかる保形部材３は長さと幅とを備えた一定の弾性を備えた合成樹脂製の板状材３０から構成されている。このようにしておけば、かかる保形部材３が衣料品の検針の障害となることがない。ツバ部分２が透明な場合はかかる保形部材３も同様に透明に構成することが好ましい。図示の例では、保形部材３の板一面をツバ部分２の内面に隙間無く貼り付けるようにしている。かかる貼り付けは、接着剤による接着や、両面粘着テープによる接着、あるいは溶着など、公知の手段により行う。
【００１８】
かかる保形部材３は、前記ツバ部分２の庇部２０を保形する上部３１と、前記ツバ部分２の右側の側部２１を保形する右側の下部３２と、前記ツバ部分２の左側の側部２１を保形する左側の下部３２とを一体に備える。それと共に、かかる保形部材３は、前記上部３１と右側の下部３２とをつなぐ部分３３及び前記上部３１と左側の下部３２とをつなぐ部分３３において弾性変形し易くなっている。
【００１９】
図示の例では、保形部材３は、ツバ部分２を構成する前記生地２２より最大幅が小さく、また、保形部材３の右側の下部３２の端と右側の合わせ部１３との間に間隔ｘが形成され、かつ、保形部材３の左側の下部３２の端と左側の合わせ部１３との間に間隔ｘが形成されるようにツバ部分２に貼り付けられる長さに構成されている。
【００２０】
図示の例では、保形部材３の板前縁３４は、この保形部材３の長さ方向に亘るいずれの位置においてもツバ部分２の突き出し縁２３に位置するようになっている。これにより、図示の例では、ツバ部分２の突き出し縁２３側は保形部材３により弛みなく広げられるようになっている。
【００２１】
一方、図示の例では、保形部材３の板前縁３４と板後縁３５との間の幅は、上部３１において広く、下部３２においては上部３１の最大幅の約二分の一の幅を持ち、この上部３１と下部３２とをつなぐ部分３３では下部３２よりもさらに狭くなっている。これにより、図１〜図５に示される例では、前記上部３１及び下部３２では保形部材３は弾性変形し難い一方で、前記つなぐ部分３３において保形部材３を弾性変形し易くしている。保形部材３の上部３１は、保形部材３の長さ方向略中程の位置で幅を最大とし、この位置から左側のつなぐ部分３３に近づくに連れて幅狭となり、かつ、この位置から右側のつなぐ部分３３に近づくに連れて幅狭となるように構成されている。
【００２２】
レインウェアＷを着た者がフードＦを被ると、保形部材３は前記つなぐ部分３３で大きく弾性変形する一方で、上部３１と下部３２はそれほどには弾性変形をしないようにすることができる。したがって、保形部材３の上部３１によりツバ部分２の庇部２０は湾曲が大きくならないように保形される。保形部材３は板状材によって構成されていることから、ツバ部分２の庇部２０の浮き上がりは保形部材３の上部３１が添着されている広い範囲で抑止される。すなわち、保形部材３によって庇部２０の中央は浮き上がり難く、これにより、フードＦ内への風雨の侵入が効果的に防止される。また、保形部材３の下部３２は前記上部３１を支えてツバ部分２の庇部２０が過度に下がることを防ぐと共に、前記上部３１と協働してツバ部分２の庇部２０の突き出し縁２３と側部２１の突き出し縁２３とがなす角度が風雨を受けても略一定の角度をなすようにこのツバ部分２を保形する。これにより、風雨によりツバ部分２が変形してレインウェアＷを着た者の視界を妨げる事態を効果的に防止することができる。
【符号の説明】
【００２４】
１  フード主体
１１  前面開放部
２  ツバ部分
２０  庇部
２１  側部
３  保形部材
３１  上部
３２  下部
３３  つなぐ部分
【図１】
0005603299.tif 000002
【図２】
0005603299.tif 000003
【図３】
0005603299.tif 000004
【図４】
0005603299.tif 000005
【図５】
0005603299.tif 000006